(57)【要約】【課題】  読取り頻度が高いと思われる原稿の枚数の位置に原稿台を設定することで、原稿を読取らせるまでの時間を短縮できるようにした原稿読取り装置を提供する。【解決手段】  電源をオンさせると、リフト板を設定位置に移動させ、最降下キーが操作されているか否かを判別し、最降下キーが操作されていれば、リフト板を最降下位置にまで降下させて、大量の原稿を載置することが可能になる。最降下キーが操作されていなければ、リフト板を設定位置で待機させる。この設定位置は、所定期間内で複写されたときの原稿を計数し、最も読取り頻度の高い枚数に設定され、最降下位置あるいは設定位置で載置された原稿を読取って複写する。【選択図】      図３
2006036385.tif 000002
【特許請求の範囲】
【請求項１】
上下方向に移動可能な原稿載置台に積載された原稿を送り出し、送り出された原稿を読取り位置で読取る原稿読取り装置において、
読取り頻度の高い原稿枚数を設定する設定手段と、
読取り待機時に前記設定手段によって設定されている原稿枚数に対応した位置に前記原稿載置台を移動させる制御手段を備える原稿読取装置。
【請求項２】
さらに、降下指令手段を含み、
前記制御手段は、前記降下指令手段から降下指令が与えられているとき、前記原稿載置台を最降下位置で待機させる、請求項１に記載の原稿読取装置。
【請求項３】
前記制御手段は、読取り待機時に前記降下指令手段から降下指令が与えられているか否かを判別し、降下指令が与えられていれば前記原稿載置台を最降下位置に降下させ、前記降下指令が与えられていなければ、前記原稿載置台を前記設定されている原稿枚数に対応した位置に移動させる、請求項２に記載の原稿読取装置。
【請求項４】
前記設定手段は、所定期間における原稿の読取り枚数を計数して、前記読取り頻度の高い原稿枚数を設定する、請求項１から３のいずれかに記載の原稿読取装置。
【発明の詳細な説明】
【技術分野】
【０００１】
この発明は原稿読取装置に関し、例えば、複写機やファクシミリ装置などに設けられ、原稿台上の原稿を読取る原稿読取装置に関する。
【背景技術】
【０００２】
複写機やファクシミリ装置などの画像形成装置は原稿読取装置を備えている。このような原稿読取装置が、例えば、特開平８−１１９４６８号公報（特許文献１）に記載されている。この例では、原稿を載置する原稿載置台をリフターにより上下方向に移動可能にし、この原稿載置台に積載された原稿をピックアップローラにより送り出し、送り出された原稿を最上部より１枚ずつ分離搬送するものにおいて、原稿載置台の待機位置を上下可動範囲の任意の場所に設定するものである。任意の場所として、過去の平均複写枚数の位置に設定される。
【特許文献１】特開平８−１１９４６８号公報（段落番号０００９〜００１３、図１）
【発明の開示】
【発明が解決しようとする課題】
【０００３】
上記特許文献１では、例えば複写するときの原稿の枚数が多い場合は、その都度枚数に応じて原稿載置台の待機位置を設定しなければならず、ユーザにとっては複写を開始するまの時間がかかってしまうと感じることがある。通常の業務では複写する枚数がある程度決まっていることが多く、数百枚の原稿を複写する例は極めてまれであり、通常数枚から数十枚なことが多い。
【０００４】
すなわち、特許文献１に記載されている原稿読取装置では、例えば、２００枚というような大量の原稿を複写したりすると、平均複写枚数が多くなってしまうため、原稿載置台が下の方に設定されてしまう。その後、例えば１０枚のような少量の原稿を複写するときには、原稿載置台を上昇させなければならないため、原稿を搬送するまで時間がかってしまうという不具合を生じる。
【０００５】
そこで、この発明の目的は、読取り頻度が高いと思われる原稿の枚数の位置に原稿台を設定することで、原稿を読取らせるまでの時間を短縮できるようにした原稿読取り装置を提供することである。
【課題を解決するための手段】
【０００６】
この発明は、上下方向に移動可能な原稿載置台に積載された原稿を送り出し、送り出された原稿を読取り位置で読取る原稿読取り装置において、読取り頻度の高い原稿枚数を設定する設定手段と、読取り待機時に設定手段によって設定されている、原稿読取り開始時に読取り頻度の高い枚数の位置が原稿載置台に設定されていることにより、原稿載置台を上下させる距離を短くできるので、原稿の読取り開始までの時間を短縮することができる。
【０００７】
さらに、好ましくは、降下指令手段を含み、制御手段は降下指令手段から降下指令が与えられたとき、原稿載置台を最降下位置で待機させる。
【０００８】
好ましくは、制御手段は読取り待機時に降下指令手段から降下指令が与えられているか否かを判別し、降下指令が与えられていれば原稿載置台を最降下位置に降下させ、降下指令が与えられていなければ、原稿載置台を設定されている読取り頻度の高い原稿枚数に対応した位置に移動させる。原稿枚数が大量であれば、降下指令を与えることで原稿載置台を最降下位置に設定できるので、複写するときのユーザの待ち時間を少なくできる。
【０００９】
好ましくは、設定手段は、所定期間における原稿の読取り枚数を計数して、読取り頻度の高い原稿枚数を設定する
【発明の効果】
【００１０】
この発明によれば、読取り待機時に、読取り頻度の高い枚数の位置に原稿載置台を設定するようにしたので、複写するときに原稿載置台を上下させる距離を短くできることにより、原稿の読取り開始までの時間を短縮することができる。
【発明を実施するための最良の形態】
【００１１】
図１はこの発明の一実施形態における原稿読取装置の該略の構成を示す断面図である。図１において、原稿読取装置１にはその上に原稿を載置して上下に移動するリフト板２が設けられており、このリフト板２はステッピングモータ３がラック４を駆動することで上下に移動する。リフト板２は例えば透過型センサのような下限センサ５によって下限位置が検出され、例えば透過型センサのような上限センサ６によって上限位置が検出される。上限センサ６は給紙コロ７の上部に設けられており、リフト板２またはリフト板２にセットされた原稿が給紙コロ７を押し上げることにより、光路が遮断されることで上限位置を検出する。給紙コロ７の近傍には原稿セットを検知するための発光部８が設けられ、この発光部８に対向してリフト板２の下部には受光部９が設けられている。
【００１２】
リフト板２には発光部８から照射される光が通過できるように図示しない孔が形成されている。リフト板２上に原稿が載置されると、発光部８からの光が遮断されるので、受光部９は原稿がセットされたことを検知する。給紙コロ７は支点１０を中心にして上下に回動可能に設けられており、リフト板２上にセットされた原稿の最上部に接触して原稿を原稿搬送部１１内に搬送する。リフト板２に対応して図示しないスライド抵抗が設けられており、給紙コロ７に原稿が当接したときの、すなわち上限センサ６が検知したときのスライド抵抗の抵抗値により、リフト板２の位置が検出されて原稿枚数が求められる。
【００１３】
なお、ステッピングモータ３のパルス数から原稿枚数を求めるようにしてもよい。すなわち、ステッピングモータ３が駆動パルスの１パルスでリフト板２が何ｍｍ移動するかはギヤ比などにより予めわかっているので、例えば、下限センサ５がオンしてからリフト板２が上昇し、下限センサ５がオフしてからのパルス数をカウントして設定されているパルス数まで上昇させて待機させる。原稿がセットされてスタートボタンが押されると、リフト板２を上昇させ、このときの上限センサ６がオンするまでのパルス数をカウントすることにより、実際に原稿枚数がいくらであったことを判別できる。
【００１４】
すなわち、原稿なしでの下限センサ５がオフしてから上限センサ６がオンするまでのパルス数（一定）から、原稿あり時の下限センサ５がオフしてから上限センサ６がオンするまでのパルス数を引けば、残りのパルス数に１パルスの距離をかけたものが原稿の厚みとなる。
【００１５】
原稿搬送部１１には、原稿が重なって原稿搬送部１１内に搬送されないように１枚ずつ分離するための分離部１２が設けられている。この分離部１２はローラ１３，１４と、このローラ１３，１４に対して逆方向に回転するローラ１５とを含む。原稿搬送部１１には複数の搬送ローラ対１６，１７，１８，１９，２０が設けられていて，これらの搬送ローラ対１６〜２０によって原稿が１枚ずつ搬送される。
【００１６】
図２はこの発明の一実施形態における原稿読取装置のブロック図である。図２において、図１に示したステッピングモータ３と、下限センサ５と、上限センサ６と、受光部９は制御手段としての制御部３０に接続されている。さらに、制御部３０にはスタートキー３１と、降下キー３２と、メモリ３３と、表示部３４とが接続されている。
【００１７】
スタートキー３１はユーザが操作することで原稿の読取り開始を指令するものであり、降下指令キー３２はリフト板２を最降下位置に移動するように指令を与えるものである。この最降下位置は、リフト板２に例えば原稿の最大積載できる枚数として２００枚セットできるよう設けられている。表示部３４にはリフト板２が設定されている位置を表示するようにしてもよい。これにより、ユーザは大量の複写を行うときに、降下指令キー３２を操作すべきかの判断が容易になる。
【００１８】
制御部３０は下限センサ５の検出出力により、リフト板２の下限位置を最降下位置として判別し、上限センサ６の検出出力によりリフト板２の上限位置を判別し、受光部９の出力により原稿がリフト板２上に載置されていることを判別する。
【００１９】
図３はこの発明の一実施形態における原稿読取装置の動作を説明するためのフローチャートであり、図４はこの発明の一実施形態の原稿読取装置におけるリフト板の設置位置を説明するための図である。
【００２０】
電源をオンすると、制御部３０はステップ（図示ではＳＰと略称する）ＳＰ１において、メモリ３３からリフト板２の予め定められている設定位置を読み出す。ステップＳＰ２において、制御部３０はリフト板２の現在位置がメモリ３３から読み出した位置に一致しているか否かを判別し、一致していなければステップＳＰ３において、ステッピングモータ３を駆動してリフト板２を設定位置へ移動させる。
【００２１】
制御部３０はステップＳＰ４において、最降下キー３２が操作されているか否かを判別する。最降下キー３２が操作されていれば、制御部３０はステップＳＰ５において、ステッピングモータ３を駆動してリフト板２を最降下位置にまで降下させる。これにより、リフト板２上に例えば２００枚の原稿を載置することが可能になる。
【００２２】
制御部３０はステップＳＰ４において、最降下キー３２の操作されていないことを判別すると、ステップＳＰ６において、リフト板２を設定位置で待機させる。この設定位置は、所定期間内で複写されたときの原稿を計数し、最も読取り頻度の高い枚数に設定される。例えば、図４に示すように複写回数が１０回でそのうち原稿枚数が１０枚のときが８回あったとすると、制御部３０はリフト板２の設置位置として、最も読取り頻度の高い枚数の１０枚の位置に設定する。
【００２３】
制御部３０は、ステップＳＰ７において、読取スタートであるか否かを判別し、読取スタートであれば、ステップＳＰ８においてリフト板２を給紙位置へ移動させて、リフト板２上の原稿を読取らせる。そして、ステップＳＰ９において読取った原稿枚数をメモリ３３に記憶させる。
【００２４】
前述の特許文献１には、リフト板２の設定する任意の場所として、読取った平均原稿枚数位置に設定することが記載されている。しかし、図４に示す例では平均が８．２枚の位置にリフト板２を設定することになるのに対して、この実施形態では最も読取り頻度の高い枚数である１０枚の位置に設定されるので、場合によっては最も合理的な位置にリフト板２を設定できる。
【００２５】
すなわち、この実施形態では、読取待機時に読取り頻度の高い枚数の位置にリフト板２が設定されているので、複写を開始するときにリフト板２を上下に移動させる距離を短くして、原稿の読取り開始までの時間を短縮することができる。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】この発明の一実施形態における原稿読取装置の該略の構成を示す断面図である。
【図２】この発明の一実施形態における原稿読取装置のブロック図である。
【図３】この発明の一実施形態における原稿読取装置の動作を説明するためのフローチャートである。
【図４】この発明の一実施形態の原稿読取装置におけるリフト板の設置位置を説明するための図である。
【符号の説明】
【００２８】
１  原稿読取装置、２  リフト板、３  ステッピングモータ、４  ラック、５  下限センサ、６  上限センサ、７  給紙コロ、８  発光部、９  受光部、１１  搬送部、３１  制御部、３１  スタートキー、３２  最降下キー、３３  メモリ、３４  表示部。
【図１】
2006036385.tif 000003
【図２】
2006036385.tif 000004
【図３】
2006036385.tif 000005
【図４】
2006036385.tif 000006